(57)【要約】【課題】ＶＯＸ回路の設定閾値に基づく変調度の変化が吸収される変調度制御装置を提供する。【解決手段】ＶＯＸ回路を備えた無線通信機における変調度制御装置であって、ＶＯＸ回路を動作させるためにＶＯＸ閾値設定回路３において設定されたＶＯＸ閾値に基づく信号を反転増幅器８に供給し、ＶＯＸ閾値に基づく信号を反転増幅器８て反転増幅し、反転増幅器８で増幅された出力信号とマイクロフォン出力音声信号を乗算し、乗算出力を変調信号として変調回路に供給する。【選択図】        図１
2004312479.tif 000002
【特許請求の範囲】
【請求項１】
ＶＯＸ回路を備えた無線通信機における変調度制御装置であって、ＶＯＸ回路を動作させるために設定されたＶＯＸ閾値に基づいてマイクロフォン出力音声信号を増幅し、増幅されたマイクロフォン出力音声信号を変調信号として変調回路に供給することを特徴とする変調度制御装置。
【発明の詳細な説明】
【０００１】
【発明の属する技術分野】
本発明は無線通信機における変調度制御装置に関する。
【０００２】
【従来の技術】
従来、無線通信機においてマイクロフォンから出力される音声信号は、増幅回路やミュート回路などを経由して変調回路へ入力される。変調回路への音声信号入力レベルに比例して変調度が大きくなる。この音声信号入力レベルに対する変調の度合いを変調度と呼ぶ。この度合いを決定するパラメータとして、マイクロフォンの音圧感度という指標がある。マイクロフォンの音圧感度は無線通信機によって固定のものと、マイクロフォンの出力音声信号レベルをボリューム等で使用者が実質的に変更することができるようにされているものとがある。
【０００３】
図２はマイクロフォンの音圧感度を調整する際の従来のブロック図である。マイクロフォンから出力された音声信号は、使用者が設定したマイクロフォンの音圧感度に対応するマイクゲイン信号と乗算器２１にて乗算し、乗算出力を変調信号として変調回路へ送出している。このマイクロフォンの音圧感度調整の他に、自動利得制御回路を設けてマイクゲイン値に相当する信号を自動利得制御の基準値に設定している場合もある。
【０００４】
一方、緊急状態であるとの指示がなされたとき、所定期間にわたり増幅器およびＶＯＸ回路を作動状態にして、マイクロフォン出力音声信号を増幅器により増幅し、増幅されたマイクロフォンからの出力音声信号をＶＯＸ回路に供給してマイクロフォンからの出力音声信号の存在を検出し、無線通信機における受信に優先して送信に切り替えるようにして、緊急時における車室内の音声を早期に検出して送信するようにした無線通信機が知られている（例えば、特許文献１参照）。
【０００５】
しかし、上記した特許文献１に記載のものは、緊急状態であることが指示されたときに、増幅されたマイクロフォン出力音声信号の存在をＶＯＸ回路によって検出するものであって、ＶＯＸ回路を動作させるためのＶＯＸ閾値を変更せずに、緊急状態のときに実質的にマイクロフォンの音圧感度を増大させて車室内の音声を早期に検出し、送信している。
【０００６】
【特許文献１】
特開２００１−２８７５９９公報（第３頁、第１図）。
【０００７】
【発明が解決しようとする課題】
しかしながら、上記した従来では、変調度制御のために、使用者はマイクロフォンに対して話す音声の音圧の大小に応じてマイクロフォンの音圧感度を手動で調整し、最適な感度に合わせて通信を行っている。一方、マイクロフォンに対して話す音声の音圧に応じて自動的に送信状態に設定されるＶＯＸ機能がある。この場合ＶＯＸ回路が動作するための音圧を設定するＶＯＸ閾値の設定も必要となる。
【０００８】
設定された閾値が大きい場合は大きな音圧で入力されると無線通信機は送信状態になり、設定された閾値が小さい場合は小さな音圧でも無線通信機は送信状態になる。小さい音圧に対応して設定されたＶＯＸ閾値の場合、無線通信機から送信される変調波を受けた受信機側では、音圧の小さな音声信号が復調回路で復調されることになり、送信側のＶＯＸ閾値に応じて受信機から出力される音声信号に基づく音圧が変化することになるという問題点があった。
【０００９】
本発明は、ＶＯＸ回路の設定閾値に基づく変調度の変化が吸収される変調度制御装置を提供することを目的とする。
【００１０】
【課題を解決するための手段】
本発明の変調度制御装置は、ＶＯＸ回路を備えた無線通信機における変調度制御装置であって、ＶＯＸ回路を動作させるために設定されたＶＯＸ閾値に基づいてマイクロフォン出力音声信号を増幅し、増幅されたマイクロフォン出力音声信号を変調信号として変調回路に供給することを特徴とする。
【００１１】
本発明の変調度制御装置によれば、ＶＯＸ閾値を変更してもＶＯＸ閾値に基づいてマイクロフォンからの出力音声信号のレベルが制御されるため、ＶＯＸ閾値の変化による変調度の変化が吸収され、受信機側で音声出力が比較的一定になる。したがって受信機の音声出力調整ボリュームを調整する必要はなくなり、受信機側で煩わしい手作業がなくなることになる。
【００１２】
【発明の実施の形態】
以下、本発明にかかる変調度制御装置を実施の一形態によって説明する。
【００１３】
図１は本発明の実施の一形態にかかる変調度制御装置の構成を示すブロック図である。
【００１４】
本発明の実施の一形態にかかる変調度制御装置１０は、マイクロフォンからの出力音声信号を整流回路１にて整流し、整流回路１にて整流された出力音声信号はローパスフィルタ２に供給して積分することにより、マイクロフォンからの出力音声信号を直流レベルに変換する。
【００１５】
一方、ＶＯＸ閾値設定回路３から出力される予め設定されたＶＯＸ閾値信号は、ヒステリシス回路４から出力される固定レベルのヒステリシス信号と加算回路５で加算する。ローパスフィルタ２からの出力音声信号と加算回路５からの出力信号とは比較回路６に入力して、ローパスフィルタ２からの出力音声信号レベルが加算回路５からの出力信号レベルを超えたとき、比較回路６の出力をアクテイブとする。比較回路６の出力信号はＶＯＸ回路を動作させるためのＶＯＸ検出信号として、図示しない無線通信機の制御を行うコンピュータに送出され、該コンピュータはアクテイブにされたＶＯＸ検出信号を受けて無線通信機は送信状態に制御する。
【００１６】
ここで、ＶＯＸ閾値信号はＶＯＸ回路を動作させるための閾値に対応して予め設定されている。また、ヒステリシス回路４では音声信号レベルの変動によってＶＯＸ検出信号が短期間にアクテイブ／非アクテイブを繰り返さないように、ＶＯＸ閾値信号に基づく閾値を送信／受信状態に応じて変更させるためのものである。
【００１７】
一方、マイクロフォンからの出力音声信号は乗算回路７において、ＶＯＸ閾値設定回路３から出力されたＶＯＸ閾値信号をα倍する反転増幅器８からの増幅出力と乗算して、マイクロフォンからの出力音声信号をＶＯＸ閾値に基づいて実質的に乗算し、該乗算出力を変調信号として図示しない変調回路器へ送出させる。
【００１８】
以上のように変調度制御装置１０では、マイクロフォンからの出力音声信号レベルが直流電圧に変換され、該変換された直流電圧レベルがヒステリシス電圧信号を加算されたＶＯＸ閾値信号のレベルを超えたときＶＯＸ回路を動作させると共に、ＶＯＸ閾値信号を反転増幅器８によってα倍した反転増幅出力信号とマイクロフォンからの出力音声信号との乗算信号が変調信号とされて、変調回路に送出されることなる。
【００１９】
ＶＯＸ閾値は無線通信機の使用者が適宜設定することができるものである。例えば、ＶＯＸ閾値が低く設定されている場合は、周囲が静かで全体的に小さい声で話しかけて送信状態にしたい場合であり、逆にＶＯＸ閾値が高く設定されている場合は、周囲に雑音などがあって全体的に大きな声で話しかけて初めて送信状態にしたい場合であると推測できる。
【００２０】
このように、ＶＯＸ閾値と変調度とは比例関係にある場合が多く、ＶＯＸ閾値の設定によって受信機側では受信音声出力信号レベルが大きくなったり小さくなったりしてしまう。しかし、変調度制御装置１０では、ＶＯＸ閾値信号が反転増幅器８に供給されて反転増幅され、この反転増幅出力とマイクロフォンからの出力音声信号と乗算することにより、マイクロフォンからの出力音声信号が利得制御されて変調信号とされるため、ＶＯＸ閾値が低いときは変調度が増加させられ、ＶＯＸ閾値が高いときは変調度が低下させられて、設定されたＶＯＸ閾値に連動して変調度が制御される。
【００２１】
この結果、ＶＯＸ閾値に基づいてマイクロフォンからの出力音声信号のレベルが制御されるため、ＶＯＸ閾値の変更による変調度の変化が吸収され、受信機側で音声出力が比較的一定になる。したがって受信機の音声出力調整ボリュームを調整する必要はなくなり、受信機側で煩わしい手作業がなくなるという効果が得られる。
【００２２】
なお、変調度制御装置１０を、音声信号をＡ／Ｄ変換してデジタル信号処理回路などを用いたデジタル信号処理によって行うこともできる。
【００２３】
【発明の効果】
以上説明したように、本発明の変調度制御装置によれば、ＶＯＸ閾値に基づいてマイクロフォンからの出力音声信号のレベルが制御され、出力音声信号レベルが制御された信号が変調信号とされるために、設定されたＶＯＸ閾値の変更に基づく変調度の変化が吸収されることになる。
【図面の簡単な説明】
【図１】本発明の実施の一形態にかかる変調度制御装置の構成を示すブロック図である。
【図２】従来におけるマイクロフォン音圧感度調整のためのブロック図である。
【符号の説明】
１  整流回路
２  ローパスフィルタ
３  ＶＯＸ閾値設定回路
４  ヒステリシス回路
５  加算回路
６  比較回路
７  乗算回路
８  反転増幅器
１０  変調度制御装置
【図１】
2004312479.tif 000003
【図２】
2004312479.tif 000004